(57)【特許請求の範囲】
【請求項１】
照明負荷の調光レベルを設定する調光設定器と、調光設定器の操作摘子（６０）が前面に露出する合成樹脂製のケース（１）とを備え、ケース（１）は、埋込型の配線器具用の取付枠（１１０），（１７０）に該取付枠（１１０），（１７０）の開口窓（１１１），（１７１）からケース（１）の前面が露出する形で最大３個まで連設して取り付けることができる単位寸法の埋込型の配線器具の２個分に相当する寸法に形成され、ケース（１）内に、照明負荷への供給電力を制御する電力制御素子と、電力制御素子に取着される放熱板（４０）とを備え、放熱板（４０）の外周部の要所から係合爪（４０ｈ），（４０ｇ）が突設され、カバー（２０）とともにケース（１）を構成するボディ（１０）の内側面には、放熱板（４０）の係合爪（４０ｈ），（４０ｇ）が係合する係合突起（１０ｃ）が突設され、放熱板（４０）には位置決め用の位置決め孔（４２）が形成され、ボディ（１０）の後壁には、放熱用のスリット（１７）が形成され、ボディ（１０）の後壁の内側には、上記位置決め孔（４２）に挿入される位置決め用リブ（１０ｂ）が突設されるとともに、放熱板（４０）と当接する複数の小さな突起（１０ａ）が突設されて成ることを特徴とする調光器。
【請求項２】
ケース（１）は、後端側のボディ（１０）と前端側のカバー（２０）とからなり、ボディ（１０）の外側面に突設した組立爪（１１）と、カバー（２０）から突出する組立片（２２）に設けた係合孔（２２ａ）との凹凸係合によりボディ（１０）とカバー（２０）とが結合されることを特徴とする請求項１記載の調光器。
【請求項３】
ケース（１）の両側面には上記取付枠（１１０）に形成された保持部に係止される係止爪（２５）が突設されて成ることを特徴とする請求項１又は請求項２記載の調光器。
【請求項４】
操作摘子（６０）の後部に、前後方向に略直交するリブ（６２ａ）を突設し、カバー（２０）の後面側には、照明負荷をオフする位置まで操作摘子（６０）が操作されたときに上記リブ（６２ａ）が係合する係合溝が形成されて成ることを特徴とする請求項２又は請求項３記載の調光器。
【請求項５】
放熱板（４０）は、ボディ（１０）の内周面に沿う形に適宜折曲されて成ることを特徴とする請求項１乃至請求項４のいずれかに記載の調光器。
【請求項６】
調光設定器は、スライド式のボリューム（ＶＲ）と、ボリューム（ＶＲ）の操作軸に連結される操作摘子（６０）とで構成されて成ることを特徴とする請求項１乃至請求項５のいずれかに記載の調光器。
【発明の詳細な説明】
【０００１】
【発明の属する技術分野】
本発明は、壁面のような施工面に一部を埋め込んだ形で施工され照明負荷を所望の調光レベルで点灯させるように操作される調光器に関するものである。
【０００２】
【従来の技術】
従来のこの種の調光器は、白熱灯などの照明負荷の調光レベルを設定する調光設定器を備えている。調光設定器としては、回転式のボリュームが用いられ、ケースの前面から露出した操作摘子の操作によりボリュームの抵抗値を変化させて照明負荷を調光制御するようになっている。
【０００３】
【発明が解決しようとする課題】
ところで、上記調光器は、ケース内に、照明負荷に対して直列接続され照明負荷への供給電力を制御する電力制御手段としてのトライアックを備え、照明負荷とトライアックとの直列回路が商用電源に接続され、トライアックのゲートに制御信号を与えて位相制御することにより、照明負荷への供給電力が調節されて調光がなされる。
【０００４】
しかしながら、埋込型の調光器は、トライアックの発熱によりケースが高温になるのを防ぐために、埋込ボックスに取着される金属製の取付枠とケースとが一体式になっており、専用の取付枠が必要なので、スイッチやコンセントなどの他の配線器具とは別途に設置スペースを確保する必要があり、施工に手間がかかるという不具合があった。
【０００５】
本発明は上記事由に鑑みて為されたものであり、その目的は、専用の取付枠が不要な埋込型の調光器を提供することにある。
【０００６】
【課題を解決するための手段】
請求項１の発明は、上記目的を達成するために、照明負荷の調光レベルを設定する調光設定器と、調光設定器の操作摘子（６０）が前面に露出する合成樹脂製のケース（１）とを備え、ケース（１）は、埋込型の配線器具用の取付枠（１１０），（１７０）に該取付枠（１１０），（１７０）の開口窓（１１１），（１７１）からケース（１）の前面が露出する形で最大３個まで連設して取り付けることができる単位寸法の埋込型の配線器具の２個分に相当する寸法に形成されて成ることを特徴とするものであり、従来のような専用の取付枠が不要となり、上記配線器具用の取付枠（１１０），（１７０）にスイッチやコンセントなどの他の配線器具と連設することができ、また、別途に設置スペースを設ける必要がなく施工が容易になる。また、専用の取付枠が不要となるから、低コスト化を図ることができる。
また、ケース（１）内に、照明負荷への供給電力を制御する電力制御素子と、電力制御素子に取着される放熱板（４０）とを備え、放熱板（４０）の外周部の要所から係合爪（４０ｈ），（４０ｇ）が突設され、カバー（２０）とともにケース（１）を構成するボディ（１０）の内側面には、放熱板（４０）の係合爪（４０ｈ），（４０ｇ）が係合する係合突起（１０ｃ）が突設されているので、放熱板（４０）をボディ（１０）に容易に固定することができる。
また、放熱板（４０）には位置決め用の位置決め孔（４２）が形成され、ボディ（１０）の後壁の内側には、上記位置決め孔（４２）に挿入される位置決め用リブ（１０ｂ）が突設されているので、ねじ等を使うことなしに放熱板（４０）の位置決めがなされる。
また、ボディ（１０）の後壁には、放熱用のスリット（１７）が形成され、ボディ（１０）の後壁の内側には、放熱板（４０）と当接する複数の小さな突起（１０ａ）が突設されているので、スリット（１７）が形成されていることによりケース（１）内の温度上昇が抑制され、放熱板（４０）と当接する複数の小さな突起（１０ａ）が突設されていることによりボディ（１０）の後壁の内側と放熱板（４０）との間に隙間が生じるから、放熱性がよくなり、ボディ（１０）の後壁の温度上昇を抑制することができる。
【０００７】
請求項２の発明は、請求項１の発明において、ケース（１）は、後端側のボディ（１０）と前端側のカバー（２０）とからなり、ボディ（１０）の外側面に突設した組立爪（１１）と、カバー（２０）から突出する組立片（２２）に設けた係合孔（２２ａ）との凹凸係合によりボディ（１０）とカバー（２０）とが結合されるので、ボディ（１０）とカバー（２０）とを別部材を用いることなく簡単に結合することができる。
請求項３の発明は、請求項１又は請求項２の発明において、ケース（１）の両側面には上記取付枠（１１０）に形成された保持部に係止される係止爪（２５）が突設されているので、コンセントやスイッチなどの配線器具と同じ施工方法で施工することができ、施工業者にとって施工が容易になる。
【０００８】
請求項４の発明は、請求項２又は請求項３の発明において、操作摘子（６０）の後部に、前後方向に略直交するリブ（６２ａ）を突設し、カバー（２０）の後面側には、照明負荷をオフする位置まで操作摘子（６０）が操作されたときに上記リブ（６２ａ）が係合する係合溝が形成されているので、操作摘子（６０）を上記位置まで操作したときにクリック感が得られ、操作感触が良くなるとともに、照明負荷をオフする位置まで操作したことを使用者が確実に認識することができる。
【００１１】
請求項５の発明は、請求項１乃至請求項４の発明において、放熱板（４０）は、ボディ（１０）の内周面に沿う形に適宜折曲されているので、放熱板（４０）の面積を大きくすることが可能となり、放熱効果を高めることができる。
請求項６の発明は、請求項１乃至請求項５の発明において、調光設定器は、スライド式のボリューム（ＶＲ）と、ボリューム（ＶＲ）の操作軸に連結される操作摘子（６０）とで構成されているので、調光レベルを感覚的に認識しやすくなる。
【００１２】
【発明の実施の形態】
本実施形態の調光器を図１乃至図１５を参照しながら説明する。
本実施形態の調光器のケース１は、埋込型の配線器具用の取付枠１１０に該取付枠１１０の開口窓１１１からケース１の前面が露出する形で最大３個まで連設して取り付けることができる単位寸法の埋込型の配線器具の２個分に相当する寸法に形成されている。ケース１は、熱硬化性合成樹脂製（例えば、メラミンフェノール樹脂製）であって前面が開放された直方体状に形成されたボディ１０と、弾性を有する合成樹脂製（例えば、ポリブチレンテレフタレート樹脂製＝ＰＢＴ樹脂製）であって後面が開放された直方体状に形成されたカバー２０とを結合して形成される。
【００１３】
ボディ１０の上下方向（図２（ａ）の上下方向）の両端面には組立爪１１が突設されている。一方、カバー２０の上下両端部にはそれぞれ一対の肩部２１が突設され、両側面の上下後縁からボディ１０に向かってそれぞれ組立片２２が突設されている。各組立片２２にはボディ１０に設けた組立爪１１と凹凸係合する係合孔２２ａが形成されている。組立爪１１の前端部には前方ほどボディ１０からの突出量を小さくするように傾斜した誘導面１１ａが形成されている。したがって、ボディ１０にカバー２０を組み付けるときには、組立片２２が誘導面１１ａに沿って撓み、最終的に組立片２２に設けた係合孔２２ａが組立爪１１に嵌合することによって、ボディ１０とカバー２０とが結合される。このように、組立片２２を撓ませる必要があるから、カバー２０を弾性を有した合成樹脂で形成しているのである。
【００１４】
ボディ１０は仕切壁１２により内部空間が端子収納室１３と回路収納室１４とに分割されている。
ボディ１０内において仕切壁１２を介して形成された端子収納室１３には、速結端子よりなる一対の端子３０が納装される。端子３０は、端子板３５と鎖錠ばね３６とで構成され、鎖錠ばね３６は、端子板３５と鎖錠ばね３６との間に電線挿入口１５（図２（ｅ）参照）に挿入された電線に食い込んで抜け止めをする鎖錠片３６ｂと、電線に弾接する接触片３６ａとを備えている。すなわち、ボディ１０の後壁には鎖錠ばね３６と端子片３５との間に電線を導入することができるように電線挿入口１５が形成されている。この電線挿入口１５を通して鎖錠ばね３６と端子板３５との間に、鎖錠片３６ａ側から電線を挿入すると、接触片３６ａ及び鎖錠片３６ａのばね力によって電線が端子板３５との間に挟持され、かつ鎖錠片３６ｂが電線に食い込むことによって電線を引き抜くことができなくなる。このように、電線挿入口１５に電線を挿入するだけで結線することができるから、ねじ付きの端子などを用いる場合に比較して結線作業が容易になる。
【００１５】
また、端子収納室１３には、両鎖錠ばね３６に跨がるように熱硬化性樹脂製（例えば、ユリア樹脂製）の解除釦３７が配設される。解除釦３７は両鎖錠ばね３６の鎖錠片３６ｂに当接しており、解除釦３７が鎖錠片３６ｂに当接する部位は鎖錠片３６ｂが端子片３５との間に電線を挟持する部位からずれている。ここに、本実施形態では、解除釦３７の一部が両端子３０の間に介在するように解除釦３７の中間部から前方へ絶縁片３７ａが一体的に突設されているので、電線挿入口１５から挿入された電線が対応する端子３０と異なる端子３０に接触するのを防止でき、両端子３０間の絶縁性を高めることができる。また、解除釦３７に対応する部位でボディ１０の後壁には操作孔１６（図２（ｅ）及び図３参照）が形成されており、操作孔１６にマイナスドライバの先端などを挿入して解除釦３７を押すことにより、電線に食い込んでいる鎖錠片３６ｂを電線から離すように撓ませて電線の引き抜きが可能となるようにしてある。なお、端子板３５には、後述のプリント板５１に実装するための接続片３５ａが突設されている。
【００１６】
また、回路収納室１４には、プリント板５１に実装された後述のチョークコイルＬや、放熱板４０などが納装される。ここに、プリント板５１は実装される回路部品とともにプリント板ブロック５０を構成するものであって、プリント板５１には上述の端子板３５の接続片３５ａが半田付けされており、プリント板ブロック５０（図７参照）には、図８に示すような回路部が構成される。端子３０間には、商用電源Ｖｓと白熱灯などの照明負荷Ｌａとの直列回路が上述の電線によって接続される。
【００１７】
両端子３０間には、後述のマイクロスイッチＳを介して電力制御素子としてのトライアックＱ1 とノイズフィルタを構成するチョークコイルＬとの直列回路が挿入され、この直列回路にはチョークコイルＬとともにノイズフィルタを構成するコンデンサＣ1 が並列接続される。トライアックＱ1 には、抵抗ＲとボリュームＶＲとコンデンサＣ2 との直列回路が並列接続され、ボリュームＶＲとコンデンサＣ2 との直列回路にはツェナダイオードＺＤ1 ，ＺＤ2 の直列回路が接続されている。また、ボリュームＶＲとコンデンサＣ2 との接続点と、トライアックＱ1 との間にはトリガ素子としてのダイアックＱ2 が挿入され、上記接続点の電位がダイアックＱ2 のブレークオーバ電圧に達すると、トライアックＱ1 がトリガされてオンになる。トライアックＱ1 は一旦オンになると次に商用電源Ｖｓの電圧波形がゼロクロス点に達するまでオン状態を保つ。すなわち、商用電源Ｖｓの電圧波形の半サイクルごとにダイアックＱ2 によりトリガされ、その後、ゼロクロス点までオン状態を保つのである。したがって、ボリュームＶＲの抵抗値を調節してコンデンサＣ2 の端子電圧がダイアックＱ2 のブレークオーバ電圧に達するまでの時間を調節することでトライアックＱ1 の点弧期間を調節することができ、照明負荷Ｌａを所望の調光レベルで点灯させることができるのである。なお、チョークコイルＬはコイルカバーで覆われえることによって絶縁性が保たれている。また、端子３０間には、サージ吸収素子としてのサージアブソーバＺＮＲが接続されている。
【００１８】
ところで、ボリュームＶＲは、回転式であって、前方に突出した操作軸には操作摘子６０が嵌合される。操作摘子６０は後部に鍔部６２を有し、カバー２０の前面の略中央に形成された円形状の孔２４に後方から挿入される。ここに、ボリュームＶＲの操作軸の先端面と操作摘子６０との間には弾性体６６（例えば、ネオプレンゴム製）が介装されており、カバー２０と操作摘子６０との間に隙間が生じるのを防ぎ、カバー２０に対する操作摘子６０のがたつき防止するとともに、孔２４を通してケース１内へ水滴などが浸入するのを防止できるようになっている。なお、ボリュームＶＲと操作摘子６０とで調光設定器を構成している。
【００１９】
また、調光レベルは、カバー２０の前面で操作摘子６０の周辺に設けた表示と操作摘子６０の回転度合いとで知ることができる。ところで、操作摘子６０は、後部に鍔部６２を有し、鍔部６２の要所からリブ６２ａが突設されている。一方、カバー２０の後面側には、操作摘子６０を調光レベルを下げる向きに回転させて照明負荷Ｌａをオフする位置まで操作したときに上記リブ６２ａが係合する係合溝が先端に形成された突部２０ｄが突設されている。したがって、操作摘子６０を上記位置まで操作したときにクリック感が得られ、操作感触が良くなるとともに、照明負荷Ｌａをオフする位置まで操作したことを使用者が確実に認識することができ、操作摘子に不要な力がかかるのを防止できる。なお、操作摘子６０を操作することによって照明負荷のオンオフ及び調光がなされる。
【００２０】
ところで、トライアックＱ1は放熱板４０に取着され、その後、回路基板５１に半田付けされる。放熱板４０は、図９に示すような構造であって、例えばアルミニウム板をボディ２０の内周面に沿う形に適宜折曲されている。トライアックＱ1は、取付ねじ７５（図１参照）によって放熱板４０の固定片４０ｂに取着される。なお、トライアックＱ1は固定片４０ｂに当接する面に予めシリコングリスが塗布される。本実施形態では、放熱板４０をボディ２０の内周面に沿う形に適宜折曲することにより、放熱板４０の面積を大きくすることができ、トライアックＱ1の放熱が効率良く行われるので、ケース１の前面側の温度が上昇するのを抑制でき、調光設定を行う時に使用者に不安感を与えるということがない利点がある。また、本実施形態では、ボディ１０後壁の内側に放熱板４０と当接する複数の小さな突起１０ａ（図４及び図１０参照）が突設されているので、ボディ１０後壁と放熱板４０の基端片４０ａとの間に隙間が生じるから、ボディ１０後壁の温度上昇を抑制することができる。また、放熱板４０の基端片４０ａには打抜きにより位置決め用の位置決め孔４２が形成されており、ボディ２０の後壁の内側には上記位置決め孔４２に挿通される位置決め用リブ１０ｂ（図４参照）が突設されているので、ねじなどを使うことなしに放熱板４０の位置決めがなされる。また、放熱板４０の基端片４０ａの左右両端部からは係合爪４０ｈ，４０ｇが一体に突設され、ボディ２０の左右内側面には上記係合爪４０ｈ，４０ｇが係合する係合突起１０ｃ（図４及び図５及び図１０参照）が突設されているので、放熱板４０をボディ２０の前方から押し込むことにより放熱板４０をボディ２０に容易に固定することができる。
【００２１】
さらに、本実施形態では、ボディ１０の後壁にボディ１０の内外を連通する放熱用のスリット１７を複数形成してあるので、ボディ１０の内部に熱がこもりにくくなっている。
ところで、上述のケース１は後述するプレート１００に取り付けられるものであって、カバー２０の両側面に設けた肩部２１にはプレート１００に結合するために各一対の係止爪２５が突設されている。係止爪２５の前端部には前方ほど肩部２１からの突出量を小さくするように傾斜した傾斜面２５ａが形成されている。
【００２２】
上述した構成の調光器を施工するには、図１及び図１６及び図１７に示すプレート１００を用いる。プレート１００は、ケース１を保持する取付枠１１０と、取付枠１１０を覆って見栄えをよく施工する化粧プレート１２０とからなる。取付枠１１０には、合成樹脂製のものと金属製のものとがある。合成樹脂製の取付枠１１０は絶縁性を有し、一対の枠片１１３ａ，１１３ｂの左端部同士（図１８（ａ）の上端部同士）および右端部同士（図１８（ａ）の下端部同士）をそれぞれ横片１１２で連続一体に結合することによって、ケース１の前面を露出させる長方形状の開口窓１１１を中央部に備えた縦長の矩形枠状に形成されている。開口窓１１１の長手方向に沿った両側縁の後面側にはそれぞれ帯板状の固定梁部１１４と可動梁部１１５とが互いに対向する形で設けてある。
【００２３】
可動梁部１１５は、長手方向の両端部で可動梁部１１５の長手方向に延長された連結部１１６を介して枠片１１３ｂに連続一体に連結され、中間部の２箇所が可動梁部１１５に直交する方向のブリッジ部１１７を介して枠片１１３ｂに連続一体に連結されている。また、各連結部１１６と各ブリッジ部１１７との間および両ブリッジ部１１７の間の部位は表裏に貫通するスリット１１８ａ〜１１８ｃとなっている。取付枠１１０を形成する合成樹脂は可撓性を有し、可動梁部１１５および連結部１１６が可撓になっている。両側のスリット１１８ａ，１１８ｃはＬ字形に形成され、中間部のスリット１１８ｂは一直線上に形成されている。
枠片１１３ｂにおいて各ブリッジ部１１７の近傍には、ブリッジ部１１７に対応する部位でも可動梁部１１５が可撓となるように、表裏に貫通する長孔状の溝１１９をそれぞれ設けてある。
【００２４】
一方、固定梁部１１４および可動梁部１１５において開口窓１１１に臨む一面には、ケース１の両側面に各一対ずつ突設された係止爪２５と凹凸係合する保持部としても保持溝１１４ａ，１１５ａ（図１８（ｃ），（ｄ）及び図１９参照）が各３対ずつ等ピッチで設けられている。したがって、ケース１に設けた係止爪２５を各保持溝１１４ａ，１１５ａに凹凸係合させると、ケース１の前面を開口窓１１１から露出させた形で取付枠１１０にケース１を取着することができる。
また、ケース１が取付枠１１０から前方に抜け落ちないように、固定梁部１１４および可動梁部１１５の基部にはケース１の肩部２１の前面に当接する当接部１１４ｄ，１１５ｄが形成されている（図１８（ｄ）及び図１９参照）。つまり、肩部２１の前面が当接部１１４ｄ，１１５ｄに当接し、係止爪２５の後面が保持溝１１４ａ，１１５ａに係止されることによって、ケース１が取付枠１１０に取着される。
【００２５】
ここで、固定梁部１１４と可動梁部１１５との開口窓１１１に臨む一面における各先端部分には、ケース１の係止爪２５を取付枠１１０の後面側から保持溝１１４ａ，１１５ａに導入する際に、各係止爪２５を保持溝１１４ａ，１１５ａに誘導するために、先端側ほど互いの距離を広げるように傾斜した傾斜面となった誘導部１１４ｂ，１１５ｂが設けてある（図１８（ｅ）参照）。取付枠１１０にケース１を取り付けるには、ケース１の一側面に突設した係止爪２５を固定梁部１１４の保持溝１１４ａに係合させておき、ケース１の前端部を開口窓１１１にほぼ一致させてケース１を取付枠１１０に対して前方に押し込むと、ケース１の他側面に突設した係止爪２５が可動梁部１１５を撓ませながら傾斜面２５ａと誘導部１１５ｂとによって保持溝１１５ａに追い込まれ、係止爪２５を保持溝１１５ａに容易に係合させることができるのである。
【００２６】
ところで、上述のように可動梁部１１５の延長線上に連結部１１６を設けているから、ケース１に前面側から後方に向かって押圧力が作用しても、可動梁部１１５が開口窓１１１側へ倒れるように撓んで、保持溝１１５ａからケース１の係止爪２５が外れないようになっている。これにより、ケース１の取付枠１１０に対する取付強度を向上させることができる。
【００２７】
一方、固定梁部１１４の基部には隣接する各一対の保持溝１１４ａの間で取付枠１１０の表裏に貫通する器具取り外し孔１１４ｃが穿設してあって、ケース１を取付枠１１０に取着した状態で、ドライバや取り外し専用の治具等の先端部分を器具取り外し孔１１４ｃに挿入し、治具の先端部分でケース１を可動梁部１１５側へ押すと梃子の原理によってわずかな力で可動梁部１１５を撓ますことができ、固定梁部１１４側の保持溝１１４ａとケース１の係止爪２５との係合状態を解除して取付枠１１０からケース１を取り外すことができるようになっている。
【００２８】
ところで、上述したように、取付枠１１０は固定梁部１１４と可動梁部１１５とにそれぞれ３対の保持溝１１４ａ，１１５ａを有し、ケース１には各側面に一対ずつの係止爪２５が形成されているから、上述のケース１を取付枠１１０に１個取り付け、さらに、単位寸法に形成されたケースを有するスイッチやコンセントなどの配線器具を１個取り付けることができる（連設することができる）。つまり、取付枠１１０は単位寸法のケースを最大３個まで取り付けることができるように寸法を設定してある。固定梁部１１４および可動梁部１１５に設けた各保持溝１１４ａ，１１５ａのピッチはケース１の側面に突設されている係止爪２５のピッチと等しく、かつ上述のように各保持溝１１４ａ，１１５ａは等間隔であるから、固定梁部１１４および可動梁部１１５の隣接する任意の４個の保持溝１１４ａ，１１５ａを用いてケース１を取付枠１１０に取着することができる。
【００２９】
ところで、取付枠１１０の各横片１１２の中間部前面にはそれぞれ凹所１３１が形成してある。各凹所１３１には、取付枠１１０を埋込ボックス（図示せず）に取り付けるためのボックスねじを挿通するボックス用孔１３２と、取付枠１１０を壁面等の施工面に直付けするためのねじが挿通されるねじ挿通孔１３３と、施工面を形成する壁パネル等に取り付ける際に使用するはさみ金具（図示せず）を係止するはさみ金具係止孔１３４とが設けてある。
【００３０】
また、取付枠１１０の４隅には、化粧プレート１２０の後面から突設した係止突起１２３を係止する化粧プレート係止孔１３５が設けてあり、化粧プレート係止孔１３５に係止突起１２３を挿入係止することで取付枠１１０の前面を覆う形で化粧プレート１２０を着脱自在に取り付けることができるようになっている。
化粧プレート１２０は、絶縁性を有する合成樹脂を用いて形成されたものであって、取付枠１１０の前面を覆う矩形状の主部１２１と、主部１２１の周縁から全周に亙って後方に突出する側壁１２２とを連続一体に形成した略箱形に形成される。係止突起１２３は主部１２１の後面側の４隅に突設してある。また、主部１２１の中央部には、取付枠１１０に取り付けたケース１の前面を露出させる開口窓１２１ａが設けてある。図１３はケース１を取付枠１１０に取り付けた状態を示し、図１４はケース１を取付枠１１０に取り付ける前の状態を示す。また、図１５はケース１を取り付けた取付枠１１０に化粧プレート１２０を取り付けた状態を示している。なお、図１５中のＷは壁などの取付面である。
【００３１】
化粧プレート１２０の開口窓の寸法は、取付枠１１０に取り付けるケースの数に応じて設定すればよく、例えば、図１８に示すように、プレート１００に３個の調光器のケース１を連設して取り付けることもできる。また、さらに、図１９に示すように、コンセントＢのケース１’やスイッチＣのケース１”と調光器のケース１とを連設することもできる。なお、図１９中の２５０ａは平板状の平型栓刃が差し込まれる平型栓刃挿入口であり、２５０ｂはピン状のピン型栓刃が差し込まれるピン型栓刃挿入口であって、平型栓刃挿入口２５０ａとピン型栓刃挿入口２５０ｂとを連通されている。
【００３２】
化粧プレート１２０の側壁１２２のうちの各対向面間の距離は、それぞれ取付枠１１０の対応する部位の幅寸法よりも大きくしてある。すなわち、施工面に配設した取付枠１１０の前面側に化粧プレート１２０を取着したとき、取付枠１１０が化粧プレート１２０の内側に収まり、化粧プレート１２０の側壁１２２の先端縁が施工面にほぼ当接する。その結果、取付枠１１０と化粧プレート１２０との突き合わせ面が施工面よりも前方へ出ることがなく、両者の突き合わせの線が側面からほとんど見えなくなり外観が向上する。
【００３３】
また、化粧プレート１２０の側壁１２２の内側面には、先端側ほど開口幅を広げるように傾斜した傾斜面１２２ａが形成され、かつ取付枠１１０の側面に当接して取付枠１１０に対する化粧プレート１２０の位置ずれを防止する規制リブ１２４を複数列設している。
ところで、取付枠１１０の両枠片１１３ａ，１１３ｂの外側面には、後方ほど外側に突出するように傾斜する傾斜面１１３ｃと、傾斜面１１３ｃに連続して外側に張り出した張出部１１３ｄとが形成されている。さらに化粧プレート１２０の上下の側壁１２２の内側面には後端部が張出部１１３ｄの前面に当接するリブ１２５が突設され、このリブ１２５によって化粧プレート１２０のがたつきが防止される。取付枠１１０に化粧プレート１２０を取り付けるときには、化粧プレート１２０の規制リブ１２４が取付枠１１０の枠片１１３ａ，１１３ｂに形成した傾斜面１１３ｃに案内されるから、取り付けが容易である。
【００３４】
化粧プレート１２０の上下の一方の側壁１２２には一対の切欠部１２６が設けてあり、この切欠部１２６に治具（マイナスドライバの先端部など）を差し込んで化粧プレート１２０を取付枠１１０から離す向き（前向き）の力を作用させると、化粧プレート１２０の係止突起１２３と取付枠１１０の化粧プレート係止孔１３５との係合状態が解除され、化粧プレート１２０を取付枠１１０から取り外すことができる。取付枠１１０の枠片１１３ｂにおいて切欠部１２６に対応する位置には傾斜面１１３ｃよりも内側へ窪んだ逃がし部１３６が設けてあり、切欠部１２６に差し込まれた治具を逃がして奥まで挿入できるようにしてあり、化粧プレート１２０を取り外す際に力を作用させやすくしてある。さらに、逃がし部１３６の後面側端部からは張出部１１３ｄよりも薄肉のリブ１３７が、化粧プレート１２０の切欠部１２６から突出しない程度まで延設してある。すなわち、切欠部１２６に差し込んだ治具に施工面に当接する部分を支点として力を加えることで施工面に傷が付くおそれがあるが、リブ１３７を設けていることで切欠部１２６に差し込んだ治具がリブ１３７に当接し、化粧プレート１２０を取付枠１１０から取り外す際に治具によって施工面に傷が付くのを防ぐことができるのである。
【００３５】
化粧プレート１２０の後面側には、取付枠１１０に取着したときに取付枠１１０に設けた３つのスリット１１８ａ〜１１８ｃにそれぞれ嵌入される突条片１２８ａ〜１２８ｃが列設してある。ここで、各突条片１２８ａ〜１２８ｃの寸法は、取付枠１１０の各スリット１１８ａ〜１１８ｃに嵌入された状態で、スリット１１８ａ〜１１８ｃの内周面と各突条片１２８ａ〜１２８ｃとの間にわずかな隙間しか生じないような寸法に設定してある。すなわち、ケース１を取り付けた取付枠１１０に化粧プレート１２０を取着した状態では、３つの突条片１２８ａ〜１２８ｃが取付枠１１０の各スリット１１８ａ〜１１８ｃに嵌入され、スリット１１８ａ〜１１８ｃの内周面と各突条片１２８ａ〜１２８ｃとの間にはわずかな隙間しか生じないので、取付枠１１０の可動梁部１１５の動き（撓み）が規制されることになる。
【００３６】
ところで、本実施形態では合成樹脂製の化粧プレート１２０を用いているが、金属製の化粧プレートを用いる場合もある。金属製の化粧プレート（図示せず）の場合には合成樹脂製の化粧プレート１２０のような係止突起１２３を設けることができない。そこで、金属製の化粧プレートを取付枠１１０に取り付ける場合には、金属製の化粧プレートを取り付ける取付ねじが螺着される取付ねじ孔（図示せず）を取付枠１１０の凹所１３１に設けるようにすればよい。これにより、係止突起１２３を有する合成樹脂製の化粧プレート１２０と、取付ねじによっって取り付けられる金属製の化粧プレートとのどちらにも対応することができる。
【００３７】
しかして、本実施形態の調光器のケース１は、上記取付枠１１０にコンセントやスイッチなどの配線器具と連設することができ、上記配線器具と同じ施工方法で施工することができ、先行配線も可能となるから、施工業者にとって施工作業が容易になる。
なお、ボリュームＶＲとしてはスライド式のものを用いてもよく、この場合には図２０に示すようにカバー２０の前面にスライド溝２９を形成し、スライド溝２９を通してボリュームＶＲの操作軸と操作摘子６０とを連結すればよい。このような構成にすれば、ボリュームＶＲとして回転式のものを用いた場合に比べて、調光レベルを感覚的に認識しやすくなる。
【００３８】
また、ケース１は、一般の配線器具の単位寸法と同じ寸法に形成されていればよく、図２１及び図２２に示すように、ボディ１０とカバー２０とを組立枠１４０にて結合して組み立てるような構造にしてもよい。すなわち、カバー２０の両側の肩部２１’には略コ字状に形成された組立枠１４０がそれぞれ嵌合され、この組立枠１４０の両脚片１４０ｄの先端部に形成された略Ｖ字形の引掛爪１４０ａがそれぞれボディ１０の上下両端面に形成された段部１９に係合し、カバー２０とボディ１０とが組立枠１４０により固定される。なお、組立枠１４０の脚片１４０ｄは、肩部２１’の凹部２１とボディ１０の凹部８とに嵌め込まれ、脚片１４０ｄの先端部の引掛爪１４０ａが段部１９に係合している。ここで、ケース１は、図２３に示すような埋込型の配線器具用の取付枠１７０に最大３個まで取り付けることができるように規格化された単位寸法の埋込型の配線器具の２個分に相当する寸法（例えば、ＪＩＳ規格で規格化されている大角形連用配線器具の取付枠に取り付けることができる大角形連用配線器具の１個分に相当する寸法）に形成されており、上記取付枠１７０に設けられた保持孔１７３，１７７に係合可能な一対の係合爪１４０ｂが組立枠１４０の両端部に突設されている。なお、組立枠１４０には、金属製の取付枠（図示せず）に取り付ける際に取付枠の係止爪が係止される一対の係止孔１４０ｃが設けてある。
【００３９】
このように形成されたケース１は、図２３に示すような埋込型の配線器具用の取付枠１７０に取り付けられる。すなわち、上述したように、ケース１は一般の配線器具の単位寸法の２倍の取付寸法に形成されているから、単位寸法の埋込型の配線器具を１個連設することができる。取付枠１７０は、開口窓１７１を囲む両側片１７２ａ，１７２ｂに、それぞれ組立枠１４０の側縁に突設された係止爪１４０ｂが係合する保持孔１７３，１７７を有し、一方の側片１７２ａには側片１７２ｂとの距離を変えるように撓むことができる操作片１７５が形成される。
取付枠１７０にケース１を取り付けるときは、取付枠１７０の後方からケース１を取付枠１７０に押し付けるようにすれば、操作片１７５が撓んでケース１を取付枠１７０に嵌着でき、このとき、ケース１の前面側が開口窓１７１から突出する。一方、取付枠１７０からケース１を外すには、操作片１７４をドライバ等でこじればよい。開口窓１７１を囲み側片１７２ａ，１７２ｂに直交する連結片１７４ａ，１７４ｂには、スイッチボックスに取付枠１７０を結合するためのボックスねじを挿入する長孔１７８や取付枠１７０の前面を覆う化粧プレート（図示せず）を取り付けるプレートねじが螺合するねじ孔１７９などが設けられる。図示した取付枠１７０は合成樹脂製の取付枠１７０であるが、金属製の取付枠の場合には、組立枠１４０の係止孔１４０ｃを用いて取付枠に結合すればよい。なお、化粧プレートには、ケース１の前面側を露出させる開口窓と、プレートねじを挿通する挿通孔とが穿孔される。
【００４０】
【発明の効果】
請求項１の発明は、照明負荷の調光レベルを設定する調光設定器と、調光設定器の操作摘子（６０）が前面に露出する合成樹脂製のケース（１）とを備え、ケース（１）は、埋込型の配線器具用の取付枠（１１０），（１７０）に該取付枠（１１０），（１７０）の開口窓（１１１），（１７１）からケース（１）の前面が露出する形で最大３個まで連設して取り付けることができる単位寸法の埋込型の配線器具の２個分に相当する寸法に形成されているので、従来のような専用の取付枠が不要となり、上記配線器具用の取付枠（１１０），（１７０）にスイッチやコンセントなどの他の配線器具と連設することができ、また、別途に設置スペースを設ける必要がなく施工が容易になるという効果がある。また、専用の取付枠が不要となるから、低コスト化を図ることができるという効果がある。
また、ケース（１）内に、照明負荷への供給電力を制御する電力制御素子と、電力制御素子に取着される放熱板（４０）とを備え、放熱板（４０）の外周部の要所から係合爪（４０ｈ），（４０ｇ）が突設され、カバー（２０）とともにケース（１）を構成するボディ（１０）の内側面には、放熱板（４０）の係合爪（４０ｈ），（４０ｇ）が係合する係合突起（１０ｃ）が突設されているので、放熱板（４０）をボディ（１０）に容易に固定することができるという効果がある。
また、放熱板（４０）には位置決め用の位置決め孔（４２）が形成され、ボディ（１０）の後壁の内側には、上記位置決め孔（４２）に挿入される位置決め用リブ（１０ｂ）が突設されているので、ねじ等を使うことなしに放熱板（４０）の位置決めがなされるという効果がある。
また、ボディ（１０）の後壁には、放熱用のスリット（１７）が形成され、ボディ（１０）の後壁の内側には、放熱板（４０）と当接する複数の小さな突起（１０ａ）が突設されているので、スリット（１７）が形成されていることによりケース（１）内の温度上昇が抑制され、放熱板（４０）と当接する複数の小さな突起（１０ａ）が突設されていることによりボディ（１０）の後壁の内側と放熱板（４０）との間に隙間が生じるから、放熱性がよくなり、ボディ（１０）の後壁の温度上昇を抑制することができるという効果がある。
【００４１】
請求項２の発明は、請求項１の発明において、ケース（１）は、後端側のボディ（１０）と前端側のカバー（２０）とからなり、ボディ（１０）の外側面に突設した組立爪（１１）と、カバー（２０）から突出する組立片（２２）に設けた係合孔（２２ａ）との凹凸係合によりボディ（１０）とカバー（２０）とが結合されるので、ボディ（１０）とカバー（２０）とを別部材を用いることなく簡単に結合することができるという効果がある。
【００４２】
請求項３の発明は、請求項１又は請求項２の発明において、ケース（１）の両側面には上記取付枠（１１０）に形成された保持部に係止される係止爪（２５）が突設されているので、コンセントやスイッチなどの配線器具と同じ施工方法で施工することができ、施工業者にとって施工が容易になるという効果がある。
【００４３】
請求項４の発明は、請求項２又は請求項３の発明において、操作摘子（６０）の後部に、前後方向に略直交するリブ（６２ａ）を突設し、カバー（２０）の後面側には、照明負荷をオフする位置まで操作摘子（６０）が操作されたときに上記リブ（６２ａ）が係合する係合溝が形成されているので、操作摘子（６０）を上記位置まで操作したときにクリック感が得られ、操作感触が良くなるとともに、照明負荷をオフする位置まで操作したことを使用者が確実に認識することができるという効果がある。
【００４６】
請求項５の発明は、請求項１乃至請求項４の発明において、放熱板（４０）は、ボディ（１０）の内周面に沿う形に適宜折曲されているので、放熱板（４０）の面積を大きくすることが可能となり、放熱効果を高めることができるという効果がある。
請求項６の発明は、請求項１乃至請求項５の発明において、調光設定器は、スライド式のボリューム（ＶＲ）と、ボリューム（ＶＲ）の操作軸に連結される操作摘子（６０）とで構成されているので、調光レベルを感覚的に認識しやすくなるという効果がある。
【図面の簡単な説明】
【図１】実施形態を示す分解斜視図である。
【図２】同上を示し、（ａ）は正面図、（ｂ）は下面図、（ｃ）は平面図、（ｄ）は側面図、（ｅ）は背面図、（ｆ）は側断面図である。
【図３】同上を示す側断面図である。
【図４】同上を示し、ボディの正面図である。
【図５】同上を示し、ボディに端子と放熱板とを収納した状態の正面図である。
【図６】同上を示し、カバーを取り外した状態の正面図である。
【図７】同上に用いるプリント板ブロックを示し、（ａ）は正面図、（ｂ）は側面図、（ｃ）は背面図である。
【図８】同上の回路図である。
【図９】同上に用いる放熱板を示し、（ａ）は正面図、（ｂ）は右側面図、（ｃ）は平面図、（ｄ）は左側面図、（ｅ）は断面図である。
【図１０】同上を示す要部断面図である。
【図１１】同上を示し、カバーに操作摘子を取着した状態の背面図である。
【図１２】同上を示し、カバーに操作摘子を取着した状態の要部断面図である。
【図１３】同上のケースを取付枠に取り付けた状態の正面図である。
【図１４】同上のケースの取付枠への取り付け方の説明図である。
【図１５】同上のケースをプレートに取り付けた状態を示し、（ａ）は正面図、（ｂ）は下面図、（ｃ）は側面図である。
【図１６】取付枠と化粧プレートを前面側から見た斜視図である。
【図１７】取付枠と化粧プレートを後面側から見た斜視図である。
【図１８】取付枠を示し、（ａ）は正面図、（ｂ）は縦断面図、（ｃ）は縦断面図、（ｄ）は背面図、（ｅ）は横断面図、（ｆ）は横断面図である。
【図１９】取付枠の要部を示す一部省略した斜視図である。
【図２０】他の実施形態のケースをプレートに取り付けた状態を示す正面図である。
【図２１】別の実施形態の要部を示す斜視図である。
【図２２】同上の要部を示す一部省略した側面図である。
【図２３】同上を取り付ける取付枠の斜視図である。
【符号の説明】
１  ケース
１０  ボディ
１７  スリット
２０  カバー
２５  係止爪
３０  端子
４０  放熱板
６０  操作摘子
ＶＲ  ボリューム
１００  プレート
１１０  取付枠
【図１】
0003700331.tif 000002
【図２】
0003700331.tif 000003
【図３】
0003700331.tif 000004
【図４】
0003700331.tif 000005
【図５】
0003700331.tif 000006
【図６】
0003700331.tif 000007
【図７】
0003700331.tif 000008
【図８】
0003700331.tif 000009
【図９】
0003700331.tif 000010
【図１０】
0003700331.tif 000011
【図１１】
0003700331.tif 000012
【図１２】
0003700331.tif 000013
【図１３】
0003700331.tif 000014
【図１４】
0003700331.tif 000015
【図１５】
0003700331.tif 000016
【図１６】
0003700331.tif 000017
【図１７】
0003700331.tif 000018
【図１８】
0003700331.tif 000019
【図１９】
0003700331.tif 000020
【図２０】
0003700331.tif 000021
【図２１】
0003700331.tif 000022
【図２２】
0003700331.tif 000023
【図２３】
0003700331.tif 000024